(57)【要約】【課題】コンテンツの時間的な位置又は空間的な位置を任意の出力先に対して容易に出力する。【解決手段】表示装置１であって、表示部１０４に表示されているアイコンに対応するタッチパネル１０５ａ上の位置を通って行われ、ユーザによりタッチパネル上の異なる位置が連続して接触操作されるスワイプ操作に応じて、表示部１０４に表示されているコンテンツの時間的な位置又は空間的な位置を変位させる制御を行う第１変位表示制御部１０７ｂと、スワイプ操作の終了時に表示されているコンテンツの時間的な位置又は空間的な位置を第１の位置として取得する第１位置取得部１０７ｃと、取得された第１の位置に関連する第１位置関連情報を、アイコンと対応付けられている出力先に対して出力する第１位置出力部１０７ｄと、を備えている。【選択図】図２
2017156797.tif 000002
【特許請求の範囲】
【請求項１】
タッチパネルと対応付けられている表示手段を備える出力装置であって、
前記表示手段に表示されている所定の指標に対応する前記タッチパネル上の位置を通って行われ、ユーザにより前記タッチパネル上の異なる位置が連続して接触操作される一連の接触操作に応じて、当該表示手段に表示されているコンテンツの時間的な位置又は空間的な位置を変位させる制御を行う変位制御手段と、
前記一連の接触操作の終了時に前記表示手段に表示されているコンテンツの時間的な位置又は空間的な位置を第１の位置として取得する位置取得手段と、
前記位置取得手段により取得された前記第１の位置に関連する第１位置関連情報を、前記所定の指標と対応付けられている出力先に対して出力する位置出力手段と、
を備えることを特徴とする出力装置。
【請求項２】
前記第１の位置は、前記コンテンツの注目位置、出力開始位置及び出力終了位置のうちの何れかを示す位置であることを特徴とする請求項１に記載の出力装置。
【請求項３】
前記位置取得手段は、前記一連の接触操作における前記タッチパネル上のユーザの接触位置の座標が前記所定の指標と重なった時に前記表示手段に表示されているコンテンツの時間的な位置又は空間的な位置を第２の位置として更に取得し、
前記位置出力手段は、前記位置取得手段により取得された前記第２の位置に関連する第２位置関連情報を、前記出力先に対して更に出力することを特徴とする請求項１又は２に記載の出力装置。
【請求項４】
前記第２の位置は、前記コンテンツの注目位置、出力開始位置及び出力終了位置のうち、前記第１の位置とは異なる何れかを示す位置であることを特徴とする請求項３に記載の出力装置。
【請求項５】
前記位置取得手段は、前記一連の接触操作の開始時に前記表示手段に表示されているコンテンツの時間的な位置又は空間的な位置を第３の位置として更に取得し、
前記位置出力手段は、前記位置取得手段により取得された前記第３の位置に関連する第３位置関連情報を、前記出力先に対して更に出力することを特徴とする請求項３又は４に記載の出力装置。
【請求項６】
前記第３の位置は、前記コンテンツの注目位置、出力開始位置及び出力終了位置のうち、前記第１及び第２の位置とは異なる何れかを示す位置であることを特徴とする請求項５に記載の出力装置。
【請求項７】
前記位置出力手段は、更に、前記コンテンツを特定するための情報を前記出力先に出力することを特徴とする請求項１〜６の何れか一項に記載の出力装置。
【請求項８】
前記所定の指標に対応する前記タッチパネル上の位置を通った後の前記一連の接触操作の操作速度及び操作量のうちの少なくとも一方を測定する測定手段を更に備え、
前記変位制御手段は、前記測定手段により測定される前記一連の接触操作の操作速度及び操作量のうちの少なくとも一方に応じて、前記表示手段に表示されているコンテンツの時間的な位置又は空間的な位置を変位させる制御を行うことを特徴とする請求項１〜７の何れか一項に記載の出力装置。
【請求項９】
前記一連の接触操作は、円弧状の接触操作であり、
前記変位制御手段は、前記円弧状の接触操作の操作方向と対応付けられている時間方向に、出力される前記コンテンツの時間的な位置を変位させる制御を行うことを特徴とする請求項１〜７の何れか一項に記載の出力装置。
【請求項１０】
前記出力先は、所定の通信回線を介して通信可能な外部装置及び記憶手段のうち、少なくとも一方を含むことを特徴とする請求項１〜９の何れか一項に記載の出力装置。
【請求項１１】
タッチパネルと対応付けられている表示手段を備える出力装置を用いた出力方法であって、
前記表示手段に表示されている所定の指標に対応する前記タッチパネル上の位置を通って行われ、ユーザにより前記タッチパネル上の異なる位置が連続して接触操作される一連の接触操作に応じて、当該表示手段に表示されているコンテンツの時間的な位置又は空間的な位置を変位させる制御を行う処理と、
前記一連の接触操作の終了時に前記表示手段に表示されているコンテンツの時間的な位置又は空間的な位置を第１の位置として取得する処理と、
取得された前記第１の位置に関連する第１位置関連情報を、前記所定の指標と対応付けられている出力先に対して出力する処理と、
を含むことを特徴とする出力方法。
【請求項１２】
タッチパネルと対応付けられている表示手段を備える出力装置のコンピュータに、
前記表示手段に表示されている所定の指標に対応する前記タッチパネル上の位置を通って行われ、ユーザにより前記タッチパネル上の異なる位置が連続して接触操作される一連の接触操作に応じて、当該表示手段に表示されているコンテンツの時間的な位置又は空間的な位置を変位させる制御を行う機能、
前記一連の接触操作の終了時に前記表示手段に表示されているコンテンツの時間的な位置又は空間的な位置を第１の位置として取得する機能、
取得された前記第１の位置に関連する第１位置関連情報を、前記所定の指標と対応付けられている出力先に対して出力する機能、
を実現させることを特徴とするプログラム。
【請求項１３】
タッチパネルと対応付けられている表示手段を備える出力装置であって、
前記表示手段に表示されている所定の指標に対応する前記タッチパネル上の位置への接触操作に応じて、当該所定の指標と対応付けられている出力先を取得する出力先取得手段と、
前記表示手段に表示されている前記所定の指標以外に対応する前記タッチパネル上の位置への接触操作に応じて、前記表示手段に表示されているコンテンツの時間的な位置又は空間的な位置を第１の位置として取得する位置取得手段と、
前記位置取得手段により取得された前記第１の位置に関連する第１位置関連情報を、前記出力先取得手段により取得された前記所定の指標と対応付けられている出力先に対して出力する位置出力手段と、
を備えることを特徴とする出力装置。
【請求項１４】
前記位置取得手段は、前記表示手段に表示されている所定の指標に対応する前記タッチパネル上の位置への接触操作が行われた時に、前記表示手段に表示されているコンテンツの時間的な位置又は空間的な位置を第２の位置として取得し、
前記位置出力手段は、前記第１位置関連情報と、前記位置取得手段より取得された第２の位置に関連する第２位置関連情報とを、前記出力先に対して出力することを特徴とする請求項１３に記載の出力装置。
【請求項１５】
タッチパネルと対応付けられている表示手段を備える出力装置を用いた出力方法であって、
前記表示手段に表示されている所定の指標に対応する前記タッチパネル上の位置への接触操作に応じて、当該所定の指標と対応付けられている出力先を取得する処理と、
前記表示手段に表示されている前記所定の指標以外に対応する前記タッチパネル上の位置への接触操作に応じて、前記表示手段に表示されているコンテンツの時間的な位置又は空間的な位置を第１の位置として取得する処理と、
取得された前記第１の位置に関連する第１位置関連情報を、取得された前記所定の指標と対応付けられている出力先に対して出力する処理と、
を含むことを特徴とする出力方法。
【請求項１６】
タッチパネルと対応付けられている表示手段を備える出力装置のコンピュータに、
前記表示手段に表示されている所定の指標に対応する前記タッチパネル上の位置への接触操作に応じて、当該所定の指標と対応付けられている出力先を取得する機能、
前記表示手段に表示されている前記所定の指標以外に対応する前記タッチパネル上の位置への接触操作に応じて、前記表示手段に表示されているコンテンツの時間的な位置又は空間的な位置を第１の位置として取得する機能、
取得された前記第１の位置に関連する第１位置関連情報を、取得された前記所定の指標と対応付けられている出力先に対して出力する機能、
を実現させることを特徴とするプログラム。
【発明の詳細な説明】
【技術分野】
【０００１】
本発明は、出力装置、出力方法及びプログラムに関する。
【背景技術】
【０００２】
近年、画像や音楽といったコンテンツを複数の装置やユーザ間で共有したいというニーズが高まっている。そこで、ネットワークを介して接続された送信装置と再生装置との間で、どのコンテンツかだけでなく、注目点のようにコンテンツのどの位置かを共有する技術が提案されている（例えば、特許文献１参照）。
【先行技術文献】
【特許文献】
【０００３】
【特許文献１】特開２０１３−１０２３４５号公報
【発明の概要】
【発明が解決しようとする課題】
【０００４】
しかしながら、上記特許文献等の場合、送信装置からコンテンツの注視点の位置を示す注視点情報を特定の再生装置に送信して共有するようになっているが、任意の装置との間で共有するようにすると、操作が煩雑となる虞がある。
【０００５】
本発明は、このような問題に鑑みてなされたものであり、本発明の課題は、コンテンツの時間的な位置又は空間的な位置を任意の出力先に対して容易に出力することができるようにすることである。
【課題を解決するための手段】
【０００６】
上記課題を解決するための本発明の一態様は、
タッチパネルと対応付けられている表示手段を備える出力装置であって、
前記表示手段に表示されている所定の指標に対応する前記タッチパネル上の位置を通って行われ、ユーザにより前記タッチパネル上の異なる位置が連続して接触操作される一連の接触操作に応じて、当該表示手段に表示されているコンテンツの時間的な位置又は空間的な位置を変位させる制御を行う変位制御手段と、
前記一連の接触操作の終了時に前記表示手段に表示されているコンテンツの時間的な位置又は空間的な位置を第１の位置として取得する位置取得手段と、
前記位置取得手段により取得された前記第１の位置に関連する第１位置関連情報を、前記所定の指標と対応付けられている出力先に対して出力する位置出力手段と、
を備えることを特徴としている。
【発明の効果】
【０００７】
本発明によれば、コンテンツの時間的な位置又は空間的な位置を任意の出力先に対して容易に出力することができる。
【図面の簡単な説明】
【０００８】
【図１】本発明を適用した実施形態１のコンテンツ共有システムの概略構成を示す図である。
【図２】図１のコンテンツ共有システムを構成する表示装置の概略構成を示すブロック図である。
【図３】図２の表示装置による出力処理に係る動作の一例を示すフローチャートである。
【図４】図３の出力処理における表示例を模式的に示す図である。
【図５】図３の出力処理における表示例を模式的に示す図である。
【図６】図２の表示装置による入力処理に係る動作の一例を示すフローチャートである。
【図７】図６の入力処理における表示例を模式的に示す図である。
【図８】図６の入力処理における表示例を模式的に示す図である。
【図９】変形例１の表示装置による出力処理における表示例を模式的に示す図である。
【図１０】本発明を適用した実施形態２のコンテンツ共有システムを構成する表示装置の概略構成を示すブロック図である。
【図１１】図１０の表示装置による出力処理に係る動作の一例を示すフローチャートである。
【図１２】図１１の出力処理における表示例を模式的に示す図である。
【図１３】図１１の出力処理における表示例を模式的に示す図である。
【図１４】変形例２の表示装置による出力処理における表示例を模式的に示す図である。
【発明を実施するための形態】
【０００９】
以下に、本発明について、図面を用いて具体的な態様を説明する。ただし、発明の範囲は、図示例に限定されない。
【００１０】
［実施形態１］
図１は、本発明を適用した実施形態１のコンテンツ共有システム１００の概略構成を示すブロック図である。
図１に示すように、本実施形態のコンテンツ共有システム１００は、通信ネットワークＮを介して通信可能な複数の表示装置１、…（図１には、４つの表示装置１Ａ〜１Ｄを図示）を備えている。
【００１１】
複数の表示装置１、…は、例えば、スマートフォン、タブレット、ＰＤＡ（Personal Data Assistants）等から構成されているが、通信機能を具備するものであれば如何なるものであっても良い。また、複数の表示装置１、…は、必ずしも全ての表示装置１が同一である必要はない。
なお、複数の表示装置１、…は、構成及び動作は略同様であるため、以下に、代表して表示装置１Ａを例示して説明する。
【００１２】
図２は、表示装置１Ａの概略構成を示すブロック図である。
図２に示すように、表示装置１Ａは、具体的には、中央制御部１０１と、メモリ１０２と、記録部１０３と、表示部１０４と、操作入力部１０５と、通信制御部１０６と、第１動作処理部１０７とを備えている。
また、中央制御部１０１、メモリ１０２、記録部１０３、表示部１０４、操作入力部１０５、通信制御部１０６及び第１動作処理部１０７は、バスライン１０８を介して接続されている。
【００１３】
中央制御部１０１は、表示装置１Ａの各部を制御するものである。具体的には、中央制御部１０１は、図示は省略するが、ＣＰＵ（Central Processing Unit）等を備え、表示装置１Ａ用の各種処理プログラム（図示略）に従って各種の制御動作を行う。
【００１４】
メモリ１０２は、例えば、ＤＲＡＭ（Dynamic Random Access Memory）等により構成され、中央制御部１０１、第１動作処理部１０７等によって処理されるデータ等を一時的に格納する。
【００１５】
記録部１０３は、例えば、ＳＳＤ（Solid State Drive）等から構成され、図示しない画像処理部により所定の圧縮形式（例えば、ＪＰＥＧ形式、ＭＰＥＧ形式等）で符号化された静止画像や動画像の画像データを記録する。
なお、記録部１０３に記録されている画像データは、当該表示装置１Ａの図示しない撮像部により撮影されたものであっても良いし、外部の撮像装置（図示略）により撮影された後、当該表示装置１Ａに転送されて記録部１０３に記録されたものであっても良い。
【００１６】
また、記録部１０３は、例えば、記録媒体（図示略）が着脱自在に構成され、装着された記録媒体からのデータの読み出しや記録媒体に対するデータの書き込みを制御する構成であっても良い。
【００１７】
表示部１０４は、表示パネル１０４ａの表示領域に画像を表示する。
すなわち、表示部（表示手段）１０４は、図示しない画像処理部により復号された所定サイズの画像データに基づいて、動画像、静止画像やアプリケーション画面等のコンテンツを表示パネル１０４ａの表示領域に表示する。また、表示部１０４は、後述するように、第１動作処理部１０７の第１変位表示制御部１０７ｂ（後述）の制御下にて、ユーザによるタッチパネル１０５ａ（後述）でのスワイプ操作に連動して、時間的な位置を変位させた動画像や空間的な位置を変位させた静止画像やアプリケーション画面等を表示パネル１０４ａの表示領域に表示する。
【００１８】
また、表示部１０４は、動画像、静止画像やアプリケーション画面等のコンテンツの出力先と対応付けられているアイコン（所定の指標）Ｉｏを表示したり（図４（ａ）参照）、コンテンツの入力元と対応付けられているアイコンＩｉを表示したりする（図７（ａ）参照）。
具体的には、表示部１０４は、コンテンツの表示中に、当該コンテンツに重畳させて、このコンテンツの第１位置関連情報等の出力先と対応付けられているアイコンＩｏを表示する。このとき、表示部１０４は、アイコンＩｏと対応付けられている出力先に対して、第１位置出力部１０７ｄ（後述）により第１位置関連情報等を出力可能であるか否かを識別可能な態様で当該アイコンＩｏを表示しても良い。
また、表示部１０４は、コンテンツの表示前に、所定の背景画像に重畳させて、第１位置関連情報等の入力元と対応付けられているアイコンＩｉを表示する。このとき、表示部１０４は、アイコンＩｉと対応付けられている入力元から、位置入力部１０７ｅ（後述）により第１位置関連情報等を入力可能であるか否かを識別可能な態様で当該アイコンＩｉを表示しても良い。
なお、アイコンＩｏ、Ｉｉの表示は、例えば、ＯＳＤ（on-screen display）表示により行われるが、一例であってこれに限られるものではなく、適宜任意に変更可能である。
【００１９】
ここで、アイコンＩｏ、Ｉｉの配置及び形状について、図４（ａ）等を参照して説明する。
アイコンＩｏ、Ｉｉは、表示部１０４の表示領域の左右方向の一端（図中、向かって右端）に縦列で配置される。
出力先と対応付けられているアイコンＩｏ（図４（ａ）参照）は、例えば、表示領域の左右方向の一端側に一頂点が配置された外向きに凸の三角形状をなし、内側に出力先の名称や機能等が付されている。なお、出力先の名称は、出力先の名称の略称であっても良く、例えば、表示装置１Ｂの場合にはアイコンＩｏの内側に「Ｂ」と付される。また、ユーザによるスワイプ操作の際に、接触操作されたアイコンＩｏは、その表示態様（例えば、縁部の線の太さや線種、色や模様等）を変更しても良く、図４（ｂ）には、アイコンＩｏの縁部を太い実線で表したものを模式的に表している。
また、出力先の機能としては、例えば、記録部１０３によるデータの保存が挙げられ、この場合には、内側に「保存」と表された保存アイコンＩｒが表示される。
また、入力元と対応付けられているアイコンＩｉ（図７（ａ）参照）は、例えば、表示領域の左右方向の一端側に二頂点が配置された内向きに凸の三角形状をなし、同様に、内側に入力元の名称が付されている。なお、入力元の名称は、出力先と同様に、入力元の名称の略称であっても良い。
【００２０】
なお、表示部１０４は、通信ネットワークＮに接続されている所定のサーバ装置（図示略）から通信制御部１０６を介して画像データを取得して、表示パネル１０４ａの表示領域に表示する構成であっても良い。
また、表示パネル１０４ａは、例えば、液晶表示パネルや有機ＥＬ（Electro-Luminescence）表示パネル等から構成されているが、一例であってこれらに限られるものではない。
【００２１】
操作入力部１０５は、当該表示装置１Ａの所定操作を行うためのものである。具体的には、操作入力部１０５は、電源のＯＮ／ＯＦＦ操作に係る電源ボタン、各種のモードや機能等の選択指示に係るボタン等（何れも図示略）を備えている。
そして、ユーザにより各種ボタンが操作されると、操作入力部１０５は、操作されたボタンに応じた操作指示を中央制御部１０１に出力する。中央制御部１０１は、操作入力部１０５から出力され入力された操作指示に従って所定の動作（例えば、動画像の再生等）を各部に実行させる。
【００２２】
また、操作入力部１０５は、表示部１０４の表示パネル１０４ａと一体となって設けられたタッチパネル１０５ａを有している。
タッチパネル１０５ａは、表示パネル１０４ａの表示領域をなす表示画面に直接的若しくは間接的に接触するユーザの指（手）やタッチペン等の接触位置を検出する。すなわち、タッチパネル１０５ａは、例えば、表示パネル１０４ａの表示画面上或いは当該表示画面よりも内側に設けられ、静電容量方式、抵抗膜方式、超音波表面弾性波方式等の各種方式により、表示画面上における接触位置のＸＹ座標を所定のサンプリング周期で検出する。そして、タッチパネル１０５ａは、接触位置のＸＹ座標に係る位置信号を第１動作処理部１０７に出力する。
【００２３】
通信制御部１０６は、通信アンテナ１０６ａ及び通信ネットワークＮを介してデータの送受信を行う。
すなわち、通信アンテナ１０６ａは、当該表示装置１Ａが無線基地局（図示略）との通信で採用している所定の通信方式（例えば、Ｗ−ＣＤＭＡ（Wideband Code Division Multiple Access）方式、ＣＤＭＡ２０００方式、ＧＳＭ（Global System for Mobile Communications；登録商標）方式等）に対応したデータの送受信が可能なアンテナである。そして、通信制御部１０６は、所定の通信方式に対応する通信プロトコルに従って、この通信方式で設定される通信チャネルにより無線基地局との間で通信アンテナ１０６ａを介してデータの送受信を行う。
【００２４】
通信ネットワークＮは、例えば、表示装置１Ａを無線基地局やゲートウェイサーバ（図示略）等を介して他の表示装置１Ｂ〜１Ｄ等の外部装置と接続する通信ネットワークである。また、通信ネットワークＮは、専用線や既存の一般公衆回線を利用して構築された通信ネットワークであり、ＷＡＮ（Wide Area Network）やＬＡＮ（Local Area Network）等の様々な回線形態を適用することが可能である。
【００２５】
なお、上記した通信制御部１０６の構成は、一例であってこれに限られるものではなく、適宜任意に変更可能であり、例えば、図示は省略するが、無線ＬＡＮモジュールやBluetooth（登録商標）モジュールを搭載しても良い。
すなわち、無線ＬＡＮモジュールは、アクセスポイント（図示略）を介して通信ネットワークＮにアクセス可能な構成としても良いし、アクセスポイントを経由せずに直接他の表示装置１Ｂ〜１Ｄ等の外部装置との間で無線通信回線を構築するPeer to Peer（アドホックモード）で動作しても良い。また、Bluetoothモジュールは、Bluetoothの通信規格に基づいて、他の表示装置１Ｂ〜１Ｄ等の外部装置との間で同期通信方式の無線通信を行っても良い。
【００２６】
第１動作処理部１０７は、第１測定部１０７ａと、第１変位表示制御部１０７ｂと、第１位置取得部１０７ｃと、第１位置出力部１０７ｄと、位置入力部１０７ｅと、第１位置表示制御部１０７ｆとを具備している。
なお、第１動作処理部１０７の各部は、例えば、所定のロジック回路から構成されているが、当該構成は一例であってこれに限られるものではない。
【００２７】
第１測定部１０７ａは、スワイプ操作の操作速度を測定する。
すなわち、第１測定部（測定手段）１０７ａは、表示部１０４に表示されているアイコン（所定の指標）Ｉｏに対応するタッチパネル１０５ａ上の位置から開始され、ユーザによりタッチパネル１０５ａ上の異なる位置が連続して接触操作されるスワイプ操作（一連の接触操作）の操作速度を測定する。
具体的には、タッチパネル１０５ａは、スワイプ操作に応じてユーザにより接触操作されたそれぞれの接触位置のＸＹ座標に係る位置信号を第１動作処理部１０７に出力する。第１測定部１０７ａは、タッチパネル１０５ａから逐次出力される位置信号を逐次入力する。そして、第１測定部１０７ａは、例えば、表示部１０４に表示され、出力先と対応付けられているアイコンＩｏに対応するタッチパネル１０５ａ上の位置から開始されたスワイプ操作に応じて逐次入力された位置信号に基づいて、ユーザによるタッチパネル１０５ａ上のスワイプ操作の操作速度を逐次測定する。
このスワイプ操作の操作速度の測定では、第１測定部１０７ａは、タッチパネル１０５ａ上のユーザによるスライド操作における単位時間当たりのスライド量（画素数）を逐次測定する。つまり、第１測定部１０７ａは、ユーザによるスワイプ操作の際に、タッチパネル１０５ａから逐次出力されて入力された接触位置のＸＹ座標に係る位置信号を取得するとともに、計時部（図示略）からタッチパネル１０５ａが接触操作された時点の時刻を取得していき、単位時間当たりのスライド量（例えば、一秒間に移動した画素数等）を操作速度として算出する。
また、第１測定部１０７ａは、スワイプ操作に応じて逐次入力された位置信号に基づいて、ユーザによるタッチパネル１０５ａ上のスワイプ操作の操作方向を逐次測定しても良い。
【００２８】
第１変位表示制御部１０７ｂは、動画像の時間的な位置を変位させる。
すなわち、第１変位表示制御部（変位制御手段）１０７ｂは、表示部１０４に表示されているアイコン（所定の指標）に対応するタッチパネル１０５ａ上の位置から開始されたユーザによるスワイプ操作に応じて、表示部１０４に表示されている動画像の時間的な位置を変位させる制御を行う。具体的には、第１変位表示制御部１０７ｂは、第１測定部１０７ａにより測定されるスワイプ操作の操作速度に応じて、表示部１０４に表示されている動画像の時間的な位置を変位させる送り再生を行う。また、動画像の送り再生では、第１変位表示制御部１０７ｂは、第１測定部１０７ａにより測定されるスワイプ操作の操作方向に応じて、送り再生の方向を制御しても良い。
ここで、動画像の送り再生は、動画像を通常の再生速度に対して高速或いは低速で順方向或いは逆方向に再生することを言い、タッチパネル１０５ａ上のユーザによるスワイプ操作の操作速度及び操作方向等に応じて、動画像の再生速度や再生方向が変化する。例えば、第１変位表示制御部１０７ｂは、スワイプ操作の操作速度が高速なほど動画像の再生速度が高速となるように再生フレームレートや間引き率を変化させ、また、スワイプ操作の操作方向が所定方向（例えば、右斜め上方向等）の場合に動画像を順方向に送り再生する一方で（図５（ｂ）参照）、操作方向が所定方向と反対方向（例えば、左斜め下方向等）の場合に動画像を逆方向に送り再生する（図５（ａ）参照）。
【００２９】
第１位置取得部１０７ｃは、動画像の時間的な位置を取得する。
すなわち、第１位置取得部（位置取得手段）１０７ｃは、ユーザによるタッチパネル１０５ａのスワイプ操作の終了時に表示されている動画像の時間的な位置を第１の位置として取得する。また、第１位置取得部１０７ｃは、スワイプ操作におけるタッチパネル１０５ａ上のユーザの接触位置の座標がアイコンＩｏと重なった時に表示されている動画像の時間的な位置を第２の位置として更に取得する。
ここで、第１の位置は、動画像（コンテンツ）の注目位置、出力開始位置及び出力終了位置のうちの何れかを示す位置であり、同様に、第２の位置は、動画像の注目位置、出力開始位置及び出力終了位置のうち、第１の位置とは異なる何れかを示す位置である。例えば、第１位置取得部１０７ｃは、表示されている動画像の再生開始時間を第１の位置として取得するとともに、当該動画像の注目再生時間を第２の位置として取得する。
【００３０】
具体的には、表示部１０４による動画像の表示中に、ユーザによるタッチパネル１０５ａのスワイプ操作が開始されると、タッチパネル１０５ａは、スワイプ操作に応じてユーザにより接触操作されたそれぞれの接触位置のＸＹ座標に係る位置信号を第１動作処理部１０７に出力する。第１動作処理部１０７は、スワイプ操作の開始時にタッチパネル１０５ａから出力された位置信号が入力されると、入力された位置信号に係るタッチパネル１０５ａのユーザの接触位置の座標が表示部１０４に表示されているアイコンＩｏと重なるか否かを判別する。ユーザの接触位置の座標がアイコンＩｏと重なると判別されると、第１位置取得部１０７ｃは、表示部１０４に表示されている動画像の再生時間、つまり、動画像の再生が開始されてから経過した時間を、注目再生時間を表す第２の位置として表示部１０４から取得する。
また、第１動作処理部１０７は、タッチパネル１０５ａから出力される位置信号の入力の有無に応じて、ユーザによるタッチパネル１０５ａのスワイプ操作が終了したか否かを判別する。そして、ユーザによるタッチパネル１０５ａのスワイプ操作が終了したと判別されると、第１位置取得部１０７ｃは、表示部１０４に表示されている動画像の再生時間を、再生開始時間を表す第１の位置として同様に表示部１０４から取得する。
【００３１】
なお、第１位置取得部１０７ｃによる第１の位置や第２の位置の取得と表示部１０４に表示されている出力先のアイコンＩｏの表示態様とを対応付けておき、第１位置取得部１０７ｃにより第１の位置や第２の位置の取得が行われた際に、表示部１０４は、表示されている出力先のアイコンＩｏの表示態様を変更して（例えば、アイコンＩｏの縁部を太い実線で表示）表示しても良い。さらに、表示部１０４の表示領域の縁部を太い実線で表示することで、第１位置取得部１０７ｃにより第１の位置や第２の位置の取得が行われたことをユーザに明示的に報知しても良い。
【００３２】
第１位置出力部１０７ｄは、動画像の時間的な位置に関連する第１及び第２位置関連情報を出力する。
すなわち、第１位置出力部（位置出力手段）１０７ｄは、ユーザによるスワイプ操作の終了時に第１位置取得部１０７ｃにより取得された第１の位置に関連する第１位置関連情報を、スワイプ操作におけるタッチパネル１０５ａ上のユーザの接触位置の座標が重なったアイコンＩｏと対応付けられている出力先（例えば、他の表示装置１Ｂや記録部１０３等）に対して出力する。また、第１位置出力部１０７ｄは、スワイプ操作におけるタッチパネル１０５ａ上のユーザの接触位置の座標がアイコンＩｏと重なった時に第１位置取得部１０７ｃにより取得された第２の位置に関連する第２位置関連情報を、出力先に対して更に出力する。
具体的には、第１動作処理部１０７によってユーザによるタッチパネル１０５ａのスワイプ操作が終了したと判別されると、第１位置出力部１０７ｄは、第１位置取得部１０７ｃにより取得された第１の位置（再生開始時間）に関連する第１位置関連情報及び第２の位置（注目再生時間）に関連する第２位置関連情報を、ユーザの接触位置が重なったアイコンＩｏと対応付けられている出力先、例えば、他の表示装置１Ｂ等の外部装置に対して、通信ネットワークＮ及び通信制御部１０６を介して出力する。
ここで、第１及び第２位置関連情報は、再生開始時間や注目再生時間等の動画像の時間的な位置を動画像の再生時間として直接的に表す情報であっても良いし、動画像の再生残り時間として間接的に表す情報であっても良い。
【００３３】
なお、第１位置出力部１０７ｄは、第１及び第２位置関連情報とともに、表示部１０４に表示されている動画像を特定するためのコンテンツ特定情報（例えば、動画像のファイル名、格納先のアドレス等）を出力先（例えば、他の表示装置１Ｂ等）に出力しても良い。
【００３４】
位置入力部１０７ｅは、外部装置から出力された第１及び第２位置関連情報を入力する。
すなわち、位置入力部１０７ｅは、スワイプ操作の開始時におけるタッチパネル１０５ａのユーザの接触位置の座標が表示部１０４に表示されているアイコンＩｉと重なり、且つ、スワイプ操作の終了時におけるタッチパネル１０５ａのユーザの接触位置の座標が表示部１０４の表示領域の所定領域内である場合に、アイコンＩｉと対応付けられ、通信ネットワークＮを介して通信可能な入力元（例えば、他の表示装置１Ｂ等）の第１位置出力部１０７ｄから出力された第１及び第２位置関連情報を入力する。
具体的には、例えば、コンテンツの表示前やユーザによりタッチパネル１０５ａが接触操作される前には、表示部１０４は、第１及び第２位置関連情報の入力元と対応付けられているアイコンＩｉを表示する（図７（ａ）参照）。ここで、ユーザによりタッチパネル１０５ａが接触操作されて、ユーザの接触位置の座標が表示部１０４に表示され、入力元と対応付けられているアイコンＩｉと重なると、表示部１０４は、例えば、内側に「保存」と表記され、入力元から入力される第１及び第２位置関連情報を保存するための外向きに凸の三角形状の保存アイコンＩｒを表示しても良い（図７（ｂ）参照）。
そして、アイコンＩｉと重なった状態からユーザによるタッチパネル１０５ａのスワイプ操作が開始されると、タッチパネル１０５ａは、スワイプ操作に応じてユーザにより接触操作されたそれぞれの接触位置のＸＹ座標に係る位置信号を第１動作処理部１０７に出力する。第１動作処理部１０７は、スワイプ操作の終了時にタッチパネル１０５ａから出力された位置信号が入力されると、入力された位置信号に係るタッチパネル１０５ａのユーザの接触位置の座標が表示部１０４の表示領域の所定領域（例えば、アイコンＩｉが表示されていない略中央領域）内であるか否かを判別する。ユーザの接触位置の座標が表示部１０４の表示領域の所定領域内である場合には、位置入力部１０７ｅは、スワイプ操作の開始時に接触操作されたアイコンＩｉと対応付けられた入力元（例えば、他の表示装置１Ｂ等）の第１位置出力部１０７ｄから通信ネットワークＮを介して送信され通信制御部１０６により受信された第１及び第２位置関連情報を取得して入力する。
【００３５】
なお、スワイプ操作の終了時に入力された位置信号に係るタッチパネル１０５ａのユーザの接触位置の座標が、表示部１０４に表示されている保存アイコンＩｒと重なる場合には、位置入力部１０７ｅは、入力された第１及び第２位置関連情報を記録部１０３に出力して、記録部１０３に記録させる。
【００３６】
また、入力元（例えば、他の表示装置１Ｂ等）から動画像を特定するためのコンテンツ特定情報（例えば、動画像のファイル名、格納先のアドレス等）が出力された場合には、位置入力部１０７ｅは、入力元の第１位置出力部１０７ｄから出力された第１及び第２位置関連情報とともにコンテンツ特定情報を入力しても良い。
【００３７】
第１位置表示制御部１０７ｆは、動画像の時間的な位置で当該動画像を表示部１０４に表示させる。
すなわち、第１位置表示制御部１０７ｆは、位置入力部１０７ｅにより入力された第１及び第２位置関連情報に基づいて、動画像の時間的な位置で当該動画像を表示部１０４に表示させる。具体的には、第１位置表示制御部１０７ｆは、例えば、第１及び第２位置関連情報とともに入力されたコンテンツ特定情報（例えば、動画像のファイル名、格納先のアドレス等）に基づいて動画像を特定し、特定された動画像を第１位置関連情報により表されている動画像の再生開始時間から表示部１０４に表示させ、再生時間が第２位置関連情報により表されている動画像の注目再生時間となると当該動画像の表示を一時停止状態とさせる。
【００３８】
＜出力処理＞
次に、表示装置１Ａによる出力処理について、図３〜図５（ｂ）を参照して説明する。
図３は、出力処理に係る動作の一例を示すフローチャートである。また、図４（ａ）〜図５（ｂ）は、出力処理における表示部１０４の表示例を模式的に示す図である。
【００３９】
図３に示すように、先ず、例えば、記録部１０３に記録されている動画像のうち、ユーザによる操作入力部１０５の所定操作に基づいて表示対象となる動画像が指定されると（ステップＳ１）、表示部１０４は、指定された動画像を記録部１０３から読み出して、図示しない画像処理部により復号された動画像を構成する複数のフレーム画像を所定の再生フレームレート（例えば、３０ｆｐｓ等）で表示パネル１０４ａに表示させる（ステップＳ２；図４（ａ）参照）。
ここで、図示は省略するが、表示部１０４は、第１及び第２位置関連情報の入力元と対応付けられ、第１及び第２位置関連情報を入力可能であることを表す内向きに凸の三角形状のアイコンＩｉ（図７（ａ）等参照）を表示しても良い。そして、ステップＳ１にて、入力元と対応付けられているアイコンＩｉが接触操作されて表示領域内にスワイプ操作されることで、入力元から第１及び第２位置関連情報を入力する入力処理（図６参照；詳細後述）を行って、当該第１及び第２位置関連情報に対応する動画像を表示対象として指定しても良い。
【００４０】
次に、第１変位表示制御部１０７ｂは、ユーザによる操作入力部１０５（例えば、タッチパネル１０５ａ等）の所定操作に応じて、動画像のうちの表示部１０４の表示領域内に表示されるフレーム画像を変位させて調整する（ステップＳ３；図４（ｂ）参照）。なお、ステップＳ２の処理により動画像を構成する複数のフレーム画像の表示が行われているため、例えば、ユーザが動画像を視認しながら注目再生時間を指定する場合には、必ずしもステップＳ３の処理を行う必要はない。なお、所定操作は、後述するステップＳ１３、Ｓ１４と同等のスワイプ操作であっても良い。
そして、第１動作処理部１０７は、ユーザによるタッチパネル１０５ａのスワイプ操作が開始されたか否かを判別する（ステップＳ４）。具体的には、第１動作処理部１０７は、ユーザによりタッチパネル１０５ａがスワイプ操作されることで逐次出力された接触位置のＸＹ座標に係る位置信号が逐次入力されたか否かに応じて判別する。
ここで、ユーザによるタッチパネル１０５ａのスワイプ操作が開始されていないと判別されると（ステップＳ４；ＮＯ）、第１動作処理部１０７は、処理をステップＳ２に戻し、表示部１０４は、上記と同様に、動画像を表示する。
第１動作処理部１０７は、ユーザによるタッチパネル１０５ａのスワイプ操作が開始されたか否かを判別する処理を所定の時間間隔で繰り返し実行する。
【００４１】
ステップＳ４にて、ユーザによるタッチパネル１０５ａのスワイプ操作が開始されたと判別されると（ステップＳ４；ＹＥＳ）、第１動作処理部１０７は、スワイプ操作の開始時にタッチパネル１０５ａから出力されて入力された位置信号に係るタッチパネル１０５ａのユーザの接触位置の座標が表示部１０４に表示されている出力先のアイコンＩｏ、Ｉｒ（例えば、他の表示装置１Ｂを表すアイコンＩｏ等）と重なるか否かを判別する（ステップＳ５）。ここでの出力先は、例えば、他の表示装置１Ｂ、１Ｃや第１及び第２位置関連情報が保存される記録部１０３が挙げられる。
ステップＳ５にて、ユーザの接触位置の座標が出力先のアイコンＩｏ、Ｉｒと重なると判別されると（ステップＳ５；ＹＥＳ）、第１変位表示制御部１０７ｂは、動画像を一時停止し、第１位置取得部１０７ｃは、表示部１０４に表示されている動画像の時間的な位置を、例えば、注目再生時間を表す第２の位置として表示部１０４から取得する（ステップＳ６）。
【００４２】
次に、第１測定部１０７ａは、スワイプ操作に応じて逐次入力された位置信号に基づいて、ユーザによるタッチパネル１０５ａ上のスワイプ操作の操作速度及び操作方向を逐次測定する（ステップＳ７）。続けて、第１変位表示制御部１０７ｂは、第１測定部１０７ａにより測定されるスワイプ操作の操作速度及び操作方向に応じて、表示部１０４に表示されている動画像の時間的な位置を変位させる送り再生を行う（ステップＳ８）。
すなわち、ユーザによるタッチパネル１０５ａのスワイプ操作の操作速度及び操作方向に応じて動画像の時間的な位置を変位させることで、第１の位置となる動画像の再生開始時間を選択指定する作業が行われる。例えば、スワイプ操作の操作方向が左斜め下方向の場合には、動画像を逆方向に送り再生し（図５（ａ）参照）、その一方で、スワイプ操作の操作方向が右斜め上方向の場合には、動画像を順方向に送り再生する（図５（ｂ）参照）。
【００４３】
その後、第１動作処理部１０７は、ユーザによるタッチパネル１０５ａのスワイプ操作が終了したか否かを判別する（ステップＳ９）。スワイプ操作が終了したとは、タッチパネル１０５ａがユーザにより接触操作されていない非接触状態のことであり、例えば、第１動作処理部１０７は、タッチパネル１０５ａから出力される位置信号の入力の有無に応じて判別する。
ここで、ユーザによるタッチパネル１０５ａのスワイプ操作が終了していないと判別されると（ステップＳ９；ＮＯ）、第１動作処理部１０７は、処理をステップＳ７に戻し、第１測定部１０７ａは、ユーザによるタッチパネル１０５ａ上のスワイプ操作の操作速度及び操作方向を逐次測定し（ステップＳ７）、第１変位表示制御部１０７ｂは、測定されるスワイプ操作の操作速度及び操作方向に応じて、動画像の時間的な位置を変位させる（ステップＳ８）。
【００４４】
ステップＳ９にて、ユーザによるタッチパネル１０５ａのスワイプ操作が終了したと判別されると（ステップＳ９；ＹＥＳ）、第１変位表示制御部１０７ｂは、動画像を一時停止し、第１位置取得部１０７ｃは、表示部１０４に表示されている動画像の時間的な位置を、例えば、再生開始時間を表す第１の位置として表示部１０４から取得する（ステップＳ１０）。
そして、第１位置出力部１０７ｄは、ユーザの接触位置が重なったアイコンＩｏ、Ｉｒと対応付けられている出力先（例えば、アイコンＩｏと対応付けられている他の表示装置１Ｂ等）に対して、第１位置取得部１０７ｃにより取得された第１及び第２の位置（例えば、動画像の再生開始時間及び注目再生時間）に関連する第１及び第２位置関連情報並びに動画像を特定するためのコンテンツ特定情報（例えば、動画像のファイル名、格納先のアドレス等）を、アイコンＩｏの場合は、通信ネットワークＮ及び通信制御部１０６を介して出力し、アイコンＩｒの場合は、記録部１０３に出力（保存）する（ステップＳ１１；図５（ｂ）参照）。
【００４５】
その後、第１動作処理部１０７は、ユーザによる操作入力部１０５の所定操作に基づいて、表示部１０４による動画像の表示の終了が指示されたか否かを判別する（ステップＳ１２）。
ここで、表示部１０４による動画像の表示の終了が指示されていないと判別されると（ステップＳ１２；ＮＯ）、第１動作処理部１０７は、処理をステップＳ２に戻し、表示部１０４は、上記と同様に、動画像を表示する。
【００４６】
一方、ステップＳ５にて、ユーザの接触位置の座標が出力先のアイコンＩｏ、Ｉｒと重ならないと判別されると（ステップＳ５；ＮＯ）、第１測定部１０７ａは、スワイプ操作に応じて逐次入力された位置信号に基づいて、ユーザによるタッチパネル１０５ａ上のスワイプ操作の操作速度及び操作方向を逐次測定する（ステップＳ１３）。続けて、第１変位表示制御部１０７ｂは、第１測定部１０７ａにより測定されるスワイプ操作の操作速度及び操作方向に応じて、表示部１０４に表示されている動画像の時間的な位置を変位させる送り再生を行う（ステップＳ１４）。
【００４７】
そして、第１動作処理部１０７は、ユーザによるタッチパネル１０５ａのスワイプ操作が終了したか否かを判別する（ステップＳ１５）。
ここで、ユーザによるタッチパネル１０５ａのスワイプ操作が終了していないと判別されると（ステップＳ１５；ＮＯ）、第１動作処理部１０７は、処理をステップＳ１３に戻し、第１測定部１０７ａは、ユーザによるタッチパネル１０５ａ上のスワイプ操作の操作速度及び操作方向を逐次測定し（ステップＳ１３）、第１変位表示制御部１０７ｂは、測定されるスワイプ操作の操作速度及び操作方向に応じて、動画像の時間的な位置を変位させる（ステップＳ１４）。
【００４８】
ステップＳ１５にて、ユーザによるタッチパネル１０５ａのスワイプ操作が終了したと判別されると（ステップＳ１５；ＹＥＳ）、第１動作処理部１０７は、処理をステップＳ１２に移行し、表示部１０４による動画像の表示の終了が指示されたか否かを判別する（ステップＳ１２）。
ステップＳ１２にて、表示部１０４による動画像の表示の終了が指示されたと判別されると（ステップＳ１２；ＹＥＳ）、第１動作処理部１０７は、当該出力処理を終了する。
【００４９】
＜入力処理＞
次に、表示装置１Ａによる入力処理について、図６〜図８（ｂ）を参照して説明する。
図６は、入力処理に係る動作の一例を示すフローチャートである。また、図７（ａ）〜図８（ｂ）は、入力処理における表示部１０４の表示例を模式的に示す図である。
【００５０】
図６に示すように、先ず、例えば、コンテンツの表示前やユーザによりタッチパネル１０５ａが接触操作される前には、表示部１０４は、第１及び第２位置関連情報の入力元と対応付けられ、第１及び第２位置関連情報を入力可能であることを表す内向きに凸の三角形状や菱形状のアイコンＩｉ（図７（ａ）等参照）を表示する（ステップＳ２１）。
【００５１】
次に、第１動作処理部１０７は、ユーザによるタッチパネル１０５ａのスワイプ操作が開始されたか否かを判別する（ステップＳ２２）。ここでの判別処理は、上記した出力処理におけるステップＳ４の処理と略同様である。
ここで、ユーザによるタッチパネル１０５ａのスワイプ操作が開始されていないと判別されると（ステップＳ２２；ＮＯ）、第１動作処理部１０７は、処理をステップＳ２２に戻し、ユーザによるタッチパネル１０５ａのスワイプ操作が開始されたか否かを判別する処理を所定の時間間隔で繰り返し実行する。
【００５２】
ステップＳ２２にて、ユーザによるタッチパネル１０５ａのスワイプ操作が開始されたと判別されると（ステップＳ２２；ＹＥＳ）、第１動作処理部１０７は、スワイプ操作の開始時にタッチパネル１０５ａから出力されて入力された位置信号に係るタッチパネル１０５ａのユーザの接触位置の座標が表示部１０４に表示されている入力元のアイコンＩｉ（例えば、他の表示装置１Ｂを表すアイコンＩｉ等）と重なるか否かを判別する（ステップＳ２３）。
ここで、ユーザの接触位置の座標が入力元のアイコンＩｉと重なると判別されると（ステップＳ２３；ＹＥＳ）、表示部１０４は、入力元から入力される第１及び第２位置関連情報を保存するための外向きに凸の三角形状の保存アイコンＩｒを表示する（ステップＳ２４；図７（ｂ）参照）。
【００５３】
その後、第１動作処理部１０７は、ユーザによるタッチパネル１０５ａのスワイプ操作が終了したか否かを判別する（ステップＳ２５）。ここでの判別処理は、上記した出力処理におけるステップＳ９の処理と略同様である。
ここで、ユーザによるタッチパネル１０５ａのスワイプ操作が終了していないと判別されると（ステップＳ２５；ＮＯ）、第１動作処理部１０７は、処理をステップＳ２５に戻し、ユーザによるタッチパネル１０５ａのスワイプ操作が終了したか否かを判別する処理を所定の時間間隔で繰り返し実行する。
一方、ステップＳ２５にて、ユーザによるタッチパネル１０５ａのスワイプ操作が終了したと判別されると（ステップＳ２５；ＹＥＳ）、第１動作処理部１０７は、スワイプ操作の終了時におけるタッチパネル１０５ａのユーザの接触位置に応じて処理を分岐させる（ステップＳ２６）。
すなわち、ユーザの接触位置の座標が表示部１０４の表示領域の所定領域内である場合（ステップＳ２６；所定領域内；図８（ａ）参照）、処理をステップＳ２７１に移行し、一方、ユーザの接触位置の座標が表示部１０４に表示されている保存アイコンＩｒと重なる場合（ステップＳ２６；保存アイコンＩｒ；図８（ｂ）参照）、処理をステップＳ２８１に移行する。
【００５４】
＜所定領域内＞
ユーザの接触位置の座標が表示部１０４の表示領域の所定領域内である場合（ステップＳ２６；所定領域内）、位置入力部１０７ｅは、スワイプ操作の開始時に接触操作されたアイコンＩｉと対応付けられた入力元から通信ネットワークＮを介して送信され通信制御部１０６により受信された第１及び第２位置関連情報並びにコンテンツ特定情報を取得して入力する（ステップＳ２７１）。
続けて、第１位置表示制御部１０７ｆは、例えば、第１及び第２位置関連情報とともに入力されたコンテンツ特定情報に基づいて、第１及び第２位置関連情報に対応する動画像を特定して取得し、動画像を第１及び第２位置関連情報により表されている動画像の時間的な位置で表示部１０４に表示させる（ステップＳ２７２；図８（ａ）参照）。すなわち、第１位置表示制御部１０７ｆは、例えば、特定された動画像を第１位置関連情報により表されている動画像の再生開始時間から表示部１０４に表示させ、再生時間が第２位置関連情報により表されている動画像の注目再生時間となると当該動画像の表示を一時停止状態とさせる。
これにより、第１動作処理部１０７は、当該入力処理を終了する。
【００５５】
＜保存アイコン＞
ユーザの接触位置の座標が表示部１０４に表示されている保存アイコンＩｒと重なる場合（ステップＳ２６；保存アイコン）、位置入力部１０７ｅは、ステップＳ２７１と同様に、スワイプ操作の開始時に接触操作されたアイコンＩｉと対応付けられた入力元から通信ネットワークＮを介して送信され通信制御部１０６により受信された第１及び第２位置関連情報並びにコンテンツ特定情報を取得して入力する（ステップＳ２８１）。
続けて、位置入力部１０７ｅは、入力された第１及び第２位置関連情報並びにコンテンツ特定情報を記録部１０３に出力して、記録部１０３に第１及び第２位置関連情報並びにコンテンツ特定情報を記録させる（ステップＳ２８２）。
これにより、第１動作処理部１０７は、当該入力処理を終了する。
【００５６】
一方、ステップＳ２３にて、ユーザの接触位置の座標が入力元のアイコンＩｉと重ならないと判別されると（ステップＳ２３；ＮＯ）、第１動作処理部１０７は、ユーザによりタッチパネル１０５ａがスワイプ操作されることで逐次出力されて逐次入力される位置信号に従って、その他の処理を実行する（ステップＳ２９）。
【００５７】
以上のように、実施形態１のコンテンツ共有システム１００によれば、表示装置１Ａは、表示されているアイコンＩｏに対応するタッチパネル１０５ａ上の位置から開始されるユーザによるスワイプ操作に応じて、表示される動画像の時間的な位置を変位させ、スワイプ操作の終了時に表示されている動画像の時間的な位置（例えば、動画像の再生時間等）を第１の位置として取得し、取得された第１の位置に関連する第１位置関連情報をアイコンＩｏと対応付けられている出力先（例えば、通信ネットワークＮを介して通信可能な他の表示装置１Ｂ等の外部装置）に対して出力するので、ユーザがタッチパネル１０５ａ上で一のスワイプ操作を行うだけで、表示されている動画像の時間的な位置である第１の位置を指定して取得することができるとともに、第１の位置に関連する第１位置関連情報の出力先を指定して当該出力先に対して第１位置関連情報を出力することができる。さらに、第１位置関連情報とともに、動画像を特定するための情報を出力先に対して出力することもできる。
従って、動画像の時間的な位置を任意の出力先に対して容易に出力することができる。
【００５８】
また、スワイプ操作におけるタッチパネル１０５ａ上のユーザの接触位置の座標がアイコンＩｏと重なった時に表示されている動画像の時間的な位置を第２の位置として更に取得し、取得された第２の位置に関連する第２位置関連情報を出力先に対して更に出力するので、ユーザがタッチパネル１０５ａ上で一のスワイプ操作を行うだけで、表示されている動画像の時間的な位置である第１及び第２の位置を指定して取得することができるとともに、第１及び第２の位置に関連する第１及び第２位置関連情報の出力先を指定して当該出力先に対して第１及び第２位置関連情報を出力することができる。例えば、表示されている動画像の再生開始時間を第１の位置として取得することができるとともに、当該動画像の注目再生時間を第２の位置として取得することができる。
【００５９】
また、アイコンＩｏに対応するタッチパネル１０５ａ上の位置を通った後のユーザによるスワイプ操作の操作速度を測定し、測定されるスワイプ操作の操作速度に応じて、出力される動画像の時間的な位置を変位させるので、ユーザによるスワイプ操作の操作可能領域が限られたタッチパネル１０５ａであっても、動画像の送り再生を適正に行うことができ、さらに、長時間の動画像であっても、当該動画像の送り再生を簡便に行うことができ、例えば、動画像の再生開始時間を表す第１の位置の指定等をより簡便に行うことができる。
【００６０】
＜変形例１＞
以下に、実施形態１の表示装置１Ａの変形例について、図９（ａ）及び図９（ｂ）を参照して説明する。
なお、変形例１の表示装置１Ａは、以下に詳細に説明する以外の点は、上記実施形態１と略同様である。
【００６１】
図９（ａ）及び図９（ｂ）に示すように、ユーザによるタッチパネル１０５ａ上のスワイプ操作は、円弧状をなすように行われ、第１変位表示制御部１０７ｂは、円弧状のスワイプ操作の操作方向と対応付けられている時間方向に、出力される動画像の時間的な位置を変位させる制御を行う。
具体的には、第１測定部１０７ａは、スワイプ操作に応じて逐次入力された位置信号に基づいて、ユーザによるタッチパネル１０５ａ上のスワイプ操作の操作方向が反時計回りであるか時計回りであるかを逐次測定する。そして、第１測定部１０７ａによりスワイプ操作の操作方向が反時計回りであると判別されると、第１変位表示制御部１０７ｂは、スワイプ操作の反時計回りの操作方向を動画像の送り再生における逆方向として対応付け、その後、スワイプ操作の操作方向が時計回りとなると動画像を順方向に送り再生する一方で、スワイプ操作の操作方向が反時計回りとなると動画像を逆方向に送り再生する（図９（ａ）参照）。
一方、第１測定部１０７ａによりスワイプ操作の操作方向が時計回りであると判別されると、第１変位表示制御部１０７ｂは、スワイプ操作の時計回りの操作方向を動画像の送り再生における逆方向として対応付け、その後、スワイプ操作の操作方向が反時計回りとなると動画像を順方向に送り再生する一方で、スワイプ操作の操作方向が時計回りとなると動画像を逆方向に送り再生する（図９（ｂ）参照）。
【００６２】
なお、第１変位表示制御部１０７ｂは、第１測定部１０７ａによりスワイプ操作の操作方向が反時計回りであるか時計回りであるかが判別された時点からのスワイプ操作の操作態様に応じて、動画像を送り再生する際の再生速度を変化させても良い。例えば、第１測定部１０７ａは、スワイプ操作の操作方向が反時計回りであるか時計回りであるかが判別した後、ユーザによるタッチパネル１０５ａ上のスワイプ操作の操作速度や操作量を逐次測定する。そして、第１変位表示制御部１０７ｂは、例えば、第１測定部１０７ａにより測定されるスワイプ操作の操作速度が高速なほど、或いは、スワイプ操作の操作量が大きいほど動画像の再生速度が高速となるように、再生フレームレートや間引き率を変化させて動画像の送り再生を行う。
【００６３】
従って、変形例１の表示装置１Ａによれば、ユーザによるタッチパネル１０５ａの円弧状のスワイプ操作の操作方向と対応付けられている時間方向に、表示される動画像の時間的な位置を変位させるので、スワイプ操作の操作方向を反時計回りとしたり、時計回りとしたりすることで動画像の送り再生の方向を直感的に変更することができ、例えば、動画像の再生開始時間を表す第１の位置の指定等をより簡便に行うことができる。
【００６４】
なお、上記実施形態１にあっては、ユーザによるタッチパネル１０５ａのスワイプ操作の開始時に動画像の注目再生時間を第２の位置として取得し、スワイプ操作の終了時に動画像の再生開始時間を第１の位置として取得するようにしたが、一例であってこれに限られるものではなく、第１の位置や第２の位置の内容は適宜任意に変更可能である。
すなわち、第１位置取得部１０７ｃは、例えば、ユーザによるスワイプ操作の開始時に動画像の再生開始時間を第２の位置として取得し、且つ、スワイプ操作の終了時に動画像の注目再生時間を第１の位置として取得するようにしても良いし、或いは、ユーザによるスワイプ操作の開始時に動画像の再生開始時間を第２の位置として取得し、且つ、スワイプ操作の終了時に動画像の再生終了時間を第１の位置として取得するようにしても良い。
さらに、第１位置取得部１０７ｃにより第１及び第２の位置として取得される動画像の時間的な位置の位置関係に基づいて、第１変位表示制御部１０７ｂは、ユーザによるスワイプ操作に応じて、表示部１０４に表示されている動画像の時間的な位置を変位させる方向を制御しても良い。例えば、第１位置取得部１０７ｃがユーザによるスワイプ操作の開始時に動画像の再生開始時間を第２の位置として取得する場合には、第１変位表示制御部１０７ｂは、ユーザによるスワイプ操作の操作方向が所定方向（例えば、左斜め下方向等）の場合に動画像を順方向に送り再生する一方で、操作方向が所定方向と反対方向（例えば、右斜め上方向等）の場合に動画像を逆方向に送り再生するようにしても良い。
【００６５】
［実施形態２］
以下に、実施形態２のコンテンツ共有システムについて説明する。
実施形態２のコンテンツ共有システムは、上記実施形態１と同様に、通信ネットワークＮを介して通信可能な複数の表示装置２０１、…（４つの表示装置２０１Ａ〜２０１Ｄ；図１０参照）を備えている。
また、複数の表示装置２０１、…は、構成及び動作は略同様であるため、以下に、代表して表示装置２０１Ａを例示して説明する。
【００６６】
図１０は、実施形態２のコンテンツ共有システムを構成する表示装置２０１Ａの概略構成を示すブロック図である。
図１０に示すように、表示装置２０１Ａは、具体的には、中央制御部１０１と、メモリ１０２と、記録部１０３と、表示部１０４と、操作入力部１０５と、通信制御部１０６と、第２動作処理部２０７とを備えている。また、各部は、バスライン１０８を介して接続されている。
【００６７】
なお、実施形態２の表示装置２０１Ａは、以下に詳細に説明する以外の点は、上記実施形態１の表示装置１Ａと略同様の構成であり、詳細な説明は省略する。
【００６８】
第２動作処理部２０７は、第２測定部２０７ａと、第２変位表示制御部２０７ｂと、第２位置取得部２０７ｃと、第２位置出力部２０７ｄと、位置入力部１０７ｅと、第２位置表示制御部２０７ｆとを具備している。
【００６９】
第２測定部２０７ａは、スワイプ操作の操作量を測定する。
すなわち、第２測定部（測定手段）２０７ａは、表示部１０４に表示されているアイコンＩｏに対応するタッチパネル１０５ａ上の位置から開始され、ユーザによりタッチパネル１０５ａ上の異なる位置が連続して接触操作されるスワイプ操作（一連の接触操作）の操作量を測定する。
このスワイプ操作の操作量の測定では、第２測定部２０７ａは、ユーザにより接触操作されたタッチパネル１０５ａ上の接触位置、すなわち、アイコンＩｏの表示位置を原点として、ユーザによるスワイプ操作の際に、タッチパネル１０５ａから逐次出力されて逐次入力された接触位置のＸＹ座標に係る位置信号を取得していき、原点からの距離をスワイプ操作の操作量として算出する。
また、第２測定部２０７ａは、スワイプ操作に応じて逐次入力された位置信号に基づいて、ユーザによるタッチパネル１０５ａ上のスワイプ操作の操作方向を逐次測定しても良い。
【００７０】
第２変位表示制御部２０７ｂは、静止画像やアプリケーション画面等の静止コンテンツの空間的な位置を変位させる。
ここで、静止コンテンツは、表示部１０４の表示領域よりも画像領域が広くなっている。つまり、表示部１０４の表示領域の画素数よりも静止コンテンツの画素数が多いものである。従って、表示部１０４の表示領域には、静止コンテンツの一部分の画像領域のみが表示された状態となり、ユーザによるタッチパネル１０５ａの接触操作（スワイプ操作等）に応じて、表示領域内に表示される静止コンテンツの画像領域が変位する（詳細後述）。
すなわち、第２変位表示制御部（変位制御手段）２０７ｂは、表示部１０４に表示されているアイコンＩｏに対応するタッチパネル１０５ａ上の位置から開始されたユーザによるスワイプ操作に応じて、表示部１０４に表示されている静止コンテンツの空間的な位置を変位させる制御を行う。具体的には、第２変位表示制御部２０７ｂは、第２測定部２０７ａにより測定されるスワイプ操作の操作量に応じて、静止コンテンツのうちの表示部１０４の表示領域内に表示される画像領域を変位させる表示制御を行う。さらに、スワイプ操作の終了後には、第２変位表示制御部２０７ｂは、静止コンテンツのうち、スワイプ操作の終了後に表示部１０４の表示領域内に表示される画像領域が、スワイプ操作前、より具体的には、スワイプ操作が開始された時点と同じ画像領域となるように表示制御を行っても良い。
【００７１】
また、静止コンテンツの空間的な位置の変位は、タッチパネル１０５ａ上のユーザによるスワイプ操作の操作量及び操作方向等に応じて、静止コンテンツの変位速度や変位量が変化する。例えば、第２変位表示制御部２０７ｂは、スワイプ操作の操作量が大きいほど、静止コンテンツのうちの表示部１０４の表示領域内に表示される画像領域の基準（例えば、中心等）となる画素の位置の変位量を大きくする。
【００７２】
第２位置取得部２０７ｃは、静止画像やアプリケーション画面等の静止コンテンツの空間的な位置を取得する。
第２位置取得部（位置取得手段）２０７ｃは、ユーザによるタッチパネル１０５ａのスワイプ操作の終了時に表示されている静止コンテンツの空間的な位置を第１の位置として取得する。また、第２位置取得部２０７ｃは、スワイプ操作におけるタッチパネル１０５ａ上のユーザの接触位置の座標がアイコンＩｏと重なった時に表示されている静止コンテンツの空間的な位置を第２の位置として更に取得する。例えば、第２位置取得部２０７ｃは、表示されている静止コンテンツの空間的な位置を出力開始位置を表す第１の位置として取得するとともに、当該静止コンテンツの空間的な位置を注目位置を表す第２の位置として取得する。
具体的には、表示部１０４による静止コンテンツの表示中に、ユーザによるタッチパネル１０５ａのスワイプ操作が開始されると、タッチパネル１０５ａは、スワイプ操作に応じてユーザにより接触操作されたそれぞれの接触位置のＸＹ座標に係る位置信号を第２動作処理部２０７に出力する。第２動作処理部２０７は、スワイプ操作の開始時にタッチパネル１０５ａから出力された位置信号が入力されると、入力された位置信号に係るタッチパネル１０５ａのユーザの接触位置の座標が表示部１０４に表示されているアイコンＩｏと重なるか否かを判別する。ユーザの接触位置の座標がアイコンＩｏと重なると判別されると、第２位置取得部２０７ｃは、静止コンテンツのうちの表示部１０４の表示領域内に表示される画像領域の基準（例えば、中心等）となる画素の位置（注目位置）のＸＹ座標を第２の位置として取得する。
また、第２動作処理部２０７は、タッチパネル１０５ａから出力される位置信号の入力の有無に応じて、ユーザによるタッチパネル１０５ａのスワイプ操作が終了したか否かを判別する。そして、ユーザによるタッチパネル１０５ａのスワイプ操作が終了したと判別されると、第２位置取得部２０７ｃは、静止コンテンツのうちの表示部１０４の表示領域内に表示される画像領域の基準（例えば、中心等）となる画素の位置（出力開始位置）のＸＹ座標を第１の位置として同様に取得する。
【００７３】
第２位置出力部２０７ｄは、静止コンテンツの空間的な位置に関連する第１及び第２位置関連情報を出力する。
すなわち、第２位置出力部（位置出力手段）２０７ｄは、ユーザによるスワイプ操作の終了時に第２位置取得部２０７ｃにより取得された第１の位置に関連する第１位置関連情報を、スワイプ操作におけるタッチパネル１０５ａ上のユーザの接触位置の座標が重なったアイコンＩｏと対応付けられている出力先（例えば、他の表示装置２０１Ｂや記録部１０３等）に対して出力する。また、第２位置出力部２０７ｄは、スワイプ操作におけるタッチパネル１０５ａ上のユーザの接触位置の座標がアイコンＩｏと重なった時に第２位置取得部２０７ｃにより取得された第２の位置に関連する第２位置関連情報を、出力先に対して更に出力する。
具体的には、第２動作処理部２０７によってユーザによるタッチパネル１０５ａのスワイプ操作が終了したと判別されると、第２位置出力部２０７ｄは、第２位置取得部２０７ｃにより取得された第１の位置（出力開始位置）に関連する第１位置関連情報及び第２の位置（注目位置）に関連する第２位置関連情報を、ユーザの接触位置が重なったアイコンＩｏと対応付けられている出力先、例えば、他の表示装置２０１Ｂ等の外部装置に対して、通信ネットワークＮ及び通信制御部１０６を介して出力する。
【００７４】
ここで、第１及び第２位置関連情報は、第２位置取得部２０７ｃにより取得された静止コンテンツ内の画素の位置のＸＹ座標自体であっても良いし、例えば、静止コンテンツが地図アプリケーション画面の場合、入力された位置信号に対応する画素の位置の緯度や経度や高度、住所、ランドマークの名称等を用いても良い。
また、第１及び第２位置関連情報には、第２位置取得部２０７ｃにより静止コンテンツ内の画素の位置が取得された際に、表示部１０４の表示領域に表示されている静止コンテンツの画像領域の範囲を特定するための情報（例えば、静止コンテンツの画像領域の４隅の画素の位置のＸＹ座標、静止コンテンツの表示倍率等）を含めても良い。これにより、当該表示装置２０１Ａから出力された第１及び第２位置関連情報が入力された他の表示装置２０１Ｂ等にて、ユーザのスワイプ操作の開始時点にて表示部１０４に表示されていた静止コンテンツの画像領域と略同等の画像領域を他の表示装置２０１Ｂの表示部１０４にも表示することができる。
【００７５】
なお、第２位置出力部２０７ｄは、第１及び第２位置関連情報とともに、表示部１０４に表示されている静止コンテンツを特定するためのコンテンツ特定情報（例えば、静止画像のファイル名、アプリケーション名、格納先のアドレス等）を出力先（例えば、他の表示装置２０１Ｂ等）に出力しても良い。
【００７６】
第２位置表示制御部２０７ｆは、静止コンテンツの空間的な位置で当該静止コンテンツを表示部１０４に表示させる。
すなわち、第２位置表示制御部２０７ｆは、位置入力部１０７ｅにより入力された第１及び第２位置関連情報に基づいて、静止コンテンツの空間的な位置で当該静止コンテンツを表示部１０４に表示させる。具体的には、第２位置表示制御部２０７ｆは、例えば、第１及び第２位置関連情報とともに入力されたコンテンツ特定情報（例えば、静止画像のファイル名、アプリケーション名、格納先のアドレス等）に基づいて静止コンテンツを特定し、特定された静止コンテンツを第１位置関連情報により表されている静止コンテンツ内の出力開始位置に対応する画素の位置を基準として静止コンテンツの一部分が表示された状態から、第２位置関連情報により表されている注目位置に対応する画素を基準として静止コンテンツの一部分が表示された状態となるように、静止コンテンツにおける表示部１０４の表示領域内に表示される画像領域を自動的に変位させる表示制御を行う。
【００７７】
＜出力処理＞
次に、表示装置２０１Ａによる出力処理について、図１１〜図１３（ｂ）を参照して説明する。
図１１は、出力処理に係る動作の一例を示すフローチャートである。また、図１２（ａ）〜図１３（ｂ）は、出力処理における表示部１０４の表示例を模式的に示す図である。
【００７８】
図１１に示すように、例えば、ユーザによる操作入力部１０５の所定操作に基づいて表示対象となる地図アプリケーション等の静止コンテンツが指定されると（ステップＳ３１）、表示部１０４は、中央制御部１０１のＣＰＵによる地図表示プログラム（図示略）の実行に基づいて、地図表示画面を生成して表示パネル１０４ａに表示させる（ステップＳ３２）
そして、第２変位表示制御部２０７ｂは、ユーザによる操作入力部１０５（例えば、タッチパネル１０５ａ等）の所定操作に応じて、静止コンテンツのうちの表示部１０４の表示領域内に表示される画像領域を変位させて調整する（ステップＳ３３；図１２（ａ）参照）。なお、ステップＳ３２の処理により表示部１０４に静止コンテンツの一部分の画像領域が表示された状態で、当該一部分の画像領域内に注目位置が含まれている場合には、必ずしもステップＳ３３の処理を行う必要はない。なお、所定操作は、後述するステップＳ３３、Ｓ３４と同等のスワイプ操作であっても良い。
【００７９】
次に、第２動作処理部２０７は、ユーザによるタッチパネル１０５ａのスワイプ操作が開始されたか否かを判別する（ステップＳ３４）。ここでの判別処理は、上記した実施形態１の出力処理におけるステップＳ４の処理と略同様である。
ここで、ユーザによるタッチパネル１０５ａのスワイプ操作が開始されていないと判別されると（ステップＳ３４；ＮＯ）、第２動作処理部２０７は、処理をステップＳ３２に戻し、表示部１０４は、上記と同様に、静止コンテンツを表示する。
第２動作処理部２０７は、ユーザによるタッチパネル１０５ａのスワイプ操作が開始されたか否かを判別する処理を所定の時間間隔で繰り返し実行する。
【００８０】
ステップＳ３４にて、ユーザによるタッチパネル１０５ａのスワイプ操作が開始されたと判別されると（ステップＳ３４；ＹＥＳ）、第２動作処理部２０７は、スワイプ操作の開始時にタッチパネル１０５ａから出力されて入力された位置信号に係るタッチパネル１０５ａのユーザの接触位置の座標が表示部１０４に表示されている出力先のアイコンＩｏ、Ｉｒ（例えば、他の表示装置２０１Ｂを表すアイコンＩｏ等）と重なるか否かを判別する（ステップＳ３５）。
ステップＳ３５にて、ユーザの接触位置の座標が出力先のアイコンＩｏ、Ｉｒと重なると判別されると（ステップＳ３５；ＹＥＳ）、第２位置取得部２０７ｃは、静止コンテンツのうちの表示部１０４の表示領域内に表示される画像領域の基準（例えば、中心等）となる画素の位置のＸＹ座標を注目位置を表す第２の位置として取得する（ステップＳ３６）。
【００８１】
次に、第２測定部２０７ａは、スワイプ操作に応じて逐次入力された位置信号に基づいて、ユーザによるタッチパネル１０５ａ上のスワイプ操作の操作量及び操作方向を逐次測定する（ステップＳ３７）。続けて、第２変位表示制御部２０７ｂは、第２測定部２０７ａにより測定されるスワイプ操作の操作量及び操作方向に応じて、表示部１０４に表示されている静止コンテンツの空間的な位置を変位させる（ステップＳ３８；図１３（ａ）参照）。
すなわち、ユーザによるタッチパネル１０５ａのスワイプ操作の操作量及び操作方向に応じて、静止コンテンツのうちの表示部１０４の表示領域内に表示される画像領域を変位させることで、第１の位置となる静止コンテンツの出力開始位置を選択指定する作業が行われる。
【００８２】
その後、第２動作処理部２０７は、ユーザによるタッチパネル１０５ａのスワイプ操作が終了したか否かを判別する（ステップＳ３９）。ここでの判別処理は、上記した実施形態１の出力処理におけるステップＳ９の処理と略同様である。
ステップＳ３９にて、ユーザによるタッチパネル１０５ａのスワイプ操作が終了していないと判別されると（ステップＳ３９；ＮＯ）、第２動作処理部２０７は、処理をステップＳ３７に戻し、第２測定部２０７ａは、ユーザによるタッチパネル１０５ａ上のスワイプ操作の操作量及び操作方向を逐次測定し（ステップＳ３７）、第２変位表示制御部２０７ｂは、測定されるスワイプ操作の操作量及び操作方向に応じて、静止コンテンツの空間的な位置を変位させる（ステップＳ３８）。
【００８３】
ステップＳ３９にて、ユーザによるタッチパネル１０５ａのスワイプ操作が終了したと判別されると（ステップＳ３９；ＹＥＳ）、第２位置取得部２０７ｃは、静止コンテンツのうちの表示部１０４の表示領域内に表示される画像領域の基準（例えば、中心等）となる画素の位置のＸＹ座標を出力開始位置を表す第１の位置として取得する（ステップＳ４０）。
そして、第２位置出力部２０７ｄは、ユーザの接触位置が重なったアイコンＩｏ、Ｉｒと対応付けられている出力先（例えば、アイコンＩｏと対応付けられている他の表示装置２０１Ｂ等）に対して、第２位置取得部２０７ｃにより取得された第１及び第２の位置（例えば、静止コンテンツの出力開始位置及び注目位置）に関連する第１及び第２位置関連情報並びに静止コンテンツを特定するためのコンテンツ特定情報（例えば、アプリケーション名、格納先のアドレス等）を、アイコンＩｏの場合は、通信ネットワークＮ及び通信制御部１０６を介して出力し、アイコンＩｒの場合は、記録部１０３に出力（保存）する（ステップＳ４１；図１３（ｂ）参照）。
【００８４】
その後、第２動作処理部２０７は、ユーザによる操作入力部１０５の所定操作に基づいて、表示部１０４による静止コンテンツの表示の終了が指示されたか否かを判別する（ステップＳ４２）。
ここで、表示部１０４による静止コンテンツの表示の終了が指示されていないと判別されると（ステップＳ４２；ＮＯ）、第２動作処理部２０７は、処理をステップＳ３２に戻し、表示部１０４は、上記と同様に、静止コンテンツを表示する。
【００８５】
一方、ステップＳ３５にて、ユーザの接触位置の座標が出力先のアイコンＩｏ、Ｉｒと重ならないと判別されると（ステップＳ３５；ＮＯ）、第２測定部２０７ａは、スワイプ操作に応じて逐次入力された位置信号に基づいて、ユーザによるタッチパネル１０５ａ上のスワイプ操作の操作量及び操作方向を逐次測定する（ステップＳ４３）。続けて、第２変位表示制御部２０７ｂは、第２測定部２０７ａにより測定されるスワイプ操作の操作量及び操作方向に応じて、表示部１０４に表示されている静止コンテンツの空間的な位置を変位させる（ステップＳ４４）。
【００８６】
そして、第２動作処理部２０７は、ユーザによるタッチパネル１０５ａのスワイプ操作が終了したか否かを判別する（ステップＳ４５）。
ここで、ユーザによるタッチパネル１０５ａのスワイプ操作が終了していないと判別されると（ステップＳ４５；ＮＯ）、第２動作処理部２０７は、処理をステップＳ４３に戻し、第２測定部２０７ａは、ユーザによるタッチパネル１０５ａ上のスワイプ操作の操作量及び操作方向を逐次測定し（ステップＳ４３）、第２変位表示制御部２０７ｂは、測定されるスワイプ操作の操作量及び操作方向に応じて、静止コンテンツの空間的な位置を変位させる（ステップＳ４４）。
【００８７】
ステップＳ４５にて、ユーザによるタッチパネル１０５ａのスワイプ操作が終了したと判別されると（ステップＳ４５；ＹＥＳ）、第２動作処理部２０７は、処理をステップＳ４２に移行し、表示部１０４による静止コンテンツの表示の終了が指示されたか否かを判別する（ステップＳ４２）。
ステップＳ４２にて、表示部１０４による静止コンテンツの表示の終了が指示されたと判別されると（ステップＳ４２；ＹＥＳ）、第２動作処理部２０７は、当該出力処理を終了する。
【００８８】
＜入力処理＞
次に、表示装置２０１Ａによる入力処理について説明する。
表示装置２０１Ａによる入力処理は、上記した実施形態１の入力処理（図６参照）と略同様であり、図面を用いた詳細な説明は省略する。
以下に、ステップＳ２６にて、ユーザの接触位置の座標が表示部１０４の表示領域の所定領域内である場合（ステップＳ２６；所定領域内）について、説明する。
【００８９】
＜所定領域内＞
ユーザの接触位置の座標が表示部１０４の表示領域の所定領域内である場合（ステップＳ２６；所定領域内）、位置入力部１０７ｅは、スワイプ操作の開始時に接触操作されたアイコンＩｉと対応付けられた入力元から通信ネットワークＮを介して送信され通信制御部１０６により受信された第１及び第２位置関連情報並びにコンテンツ特定情報を取得して入力する（ステップＳ２７１）。
続けて、第２位置表示制御部２０７ｆは、例えば、第１及び第２位置関連情報とともに入力されたコンテンツ特定情報に基づいて、第１及び第２位置関連情報に対応する静止コンテンツを特定して取得し、静止コンテンツを第１及び第２位置関連情報により表されている静止コンテンツの空間的な位置で表示部１０４に表示させる（ステップＳ２７２）。すなわち、第２位置表示制御部２０７ｆは、例えば、第１位置関連情報により表されている静止コンテンツ内の出力開始位置に対応する画素の位置を基準として静止コンテンツの一部分を表示部１０４に表示させた状態から、第２位置関連情報により表されている静止コンテンツ内の注目位置に対応する画素を基準として静止コンテンツの一部分を表示部１０４に表示させた状態となるように、静止コンテンツにおける表示部１０４の表示領域内に表示される画像領域を自動的に変位させる表示制御を行う。
これにより、第２動作処理部２０７は、当該入力処理を終了する。
【００９０】
以上のように、実施形態２のコンテンツ共有システムによれば、上記実施形態１と同様に、表示装置２０１Ａは、表示されているアイコンＩｏに対応するタッチパネル１０５ａ上の位置から開始されるユーザによるスワイプ操作に応じて、表示される静止コンテンツの空間的な位置を変位させ、スワイプ操作の終了時に表示されている静止コンテンツの空間的な位置（例えば、静止コンテンツ内の画素の位置のＸＹ座標等）を第１の位置として取得し、取得された第１の位置に関連する第１位置関連情報をアイコンＩｏと対応付けられている出力先（例えば、通信ネットワークＮを介して通信可能な他の表示装置２０１Ｂ等の外部装置）に対して出力するので、ユーザがタッチパネル１０５ａ上で一のスワイプ操作を行うだけで、表示されている静止コンテンツの空間的な位置である第１の位置を指定して取得することができるとともに、第１の位置に関連する第１位置関連情報の出力先を指定して当該出力先に対して第１位置関連情報を出力することができる。さらに、第１位置関連情報とともに、静止コンテンツを特定するための情報を出力先に対して出力することもできる。
従って、静止コンテンツの空間的な位置を任意の出力先に対して容易に出力することができる。
【００９１】
また、スワイプ操作におけるタッチパネル１０５ａ上のユーザの接触位置の座標がアイコンＩｏと重なった時に表示されている静止コンテンツの空間的な位置を第２の位置として更に取得し、取得された第２の位置に関連する第２位置関連情報を出力先に対して更に出力するので、ユーザがタッチパネル１０５ａ上で一のスワイプ操作を行うだけで、表示されている静止コンテンツの空間的な位置である第１及び第２の位置を指定して取得することができるとともに、第１及び第２の位置に関連する第１及び第２位置関連情報の出力先を指定して当該出力先に対して第１及び第２位置関連情報を出力することができる。例えば、表示されている静止コンテンツの出力開始位置を第１の位置として取得することができるとともに、当該静止コンテンツの注目位置を第２の位置として取得することができる。
【００９２】
また、アイコンＩｏに対応するタッチパネル１０５ａ上の位置を通った後のユーザによるスワイプ操作の操作量を測定し、測定されるスワイプ操作の操作量に応じて、出力される静止コンテンツの空間的な位置を変位させるので、例えば、静止コンテンツの画像領域が表示部１０４の表示領域よりも広い場合であっても、当該静止コンテンツの空間的な位置の変位を簡便に行うことができ、例えば、静止コンテンツの出力開始位置を表す第１の位置の指定等をより簡便に行うことができる。
【００９３】
＜変形例２＞
以下に、変形例２の表示装置１Ａについて、図１４（ａ）〜図１４（ｃ）を参照して説明する。
なお、以下の説明では、実施形態１のコンテンツ共有システム１００を構成する表示装置１Ａを例示して説明する。
【００９４】
変形例２の表示装置１Ａにあっては、ユーザによるタッチパネル１０５ａ上のスワイプ操作が表示部１０４に表示されているアイコンＩｏと重ならない位置から開始されて、その途中で、アイコンＩｏに対応するタッチパネル１０５ａ上の位置を通るようになっている。
【００９５】
第１位置取得部１０７ｃは、ユーザによるスワイプ操作の開始時に表示されている動画像の時間的な位置を第３の位置として更に取得する。
ここで、第３の位置は、動画像（コンテンツ）の注目位置、出力開始位置及び出力終了位置のうち、第１及び第２の位置とは異なる何れかを示す位置である。例えば、第１位置取得部１０７ｃは、表示されている動画像の再生終了時間を第１の位置として、当該動画像の注目再生時間を第２の位置として、当該動画像の再生開始時間を第３の位置としてそれぞれ取得する。
すなわち、ユーザによるタッチパネル１０５ａ上のスワイプ操作が表示部１０４に表示されているアイコンＩｏと重ならない位置から開始された場合に、第１位置取得部１０７ｃは、スワイプ操作の開始時に表示部１０４に表示されている動画像の再生時間を、例えば、再生開始時間を表す第３の位置として表示部１０４から取得する（図１４（ａ）参照）。そして、ユーザによるタッチパネル１０５ａ上のスワイプ操作に応じて、表示部１０４に表示されている動画像の時間的な位置を変位させる送り再生が行われ、続くスワイプ操作が表示部１０４に表示されているアイコンＩｏと重なると、第１位置取得部１０７ｃは、この状態で表示部１０４に表示されている動画像の再生時間を、例えば、注目再生時間を表す第２の位置として表示部１０４から取得する（図１４（ｂ）参照）。さらに、ユーザによるタッチパネル１０５ａ上のスワイプ操作に応じて、表示部１０４に表示されている動画像の時間的な位置を変位させる送り再生が行われ、当該スワイプ操作が終了すると、第１位置取得部１０７ｃは、スワイプ操作の終了時に表示部１０４に表示されている動画像の再生時間を、例えば、再生終了時間を表す第１の位置として表示部１０４から取得する（図１４（ｃ）参照）。
【００９６】
第１位置出力部１０７ｄは、第１位置取得部１０７ｃにより取得された第３の位置に関連する第３位置関連情報を出力先に対して更に出力する。
具体的には、ユーザによるタッチパネル１０５ａのスワイプ操作の終了後、第１位置出力部１０７ｄは、第１位置取得部１０７ｃにより取得された第１の位置（再生終了時間）に関連する第１位置関連情報、第２の位置（注目再生時間）に関連する第２位置関連情報及び第３の位置（再生開始時間）に関連する第３位置関連情報を、ユーザの接触位置が重なったアイコンＩｏと対応付けられている出力先、例えば、他の表示装置１Ｂ等の外部装置に対して、通信ネットワークＮ及び通信制御部１０６を介して出力する。
【００９７】
なお、上記した構成及び機能を実施形態２の表示装置２０１Ａに適用することも可能であるが、コンテンツが静止コンテンツとなり、静止コンテンツの空間的な位置を取得して出力する以外の点は略同様であり、詳細な説明は省略する。
【００９８】
従って、変形例２の表示装置１Ａによれば、ユーザによるタッチパネル１０５ａ上のスワイプ操作が表示部１０４に表示されているアイコンＩｏと重ならない位置から開始され、その途中で、アイコンＩｏに対応するタッチパネル１０５ａ上の位置を通るように行われることで、スワイプ操作の開始時に表示されている動画像の再生時間を、例えば、再生開始時間を表す第３の位置として取得し、スワイプ操作がアイコンＩｏと重なった時に表示されている動画像の再生時間を、例えば、注目再生時間を表す第２の位置として取得し、スワイプ操作の終了時に表示されている動画像の再生時間を、例えば、再生終了時間を表す第１の位置として取得することができる。すなわち、ユーザがタッチパネル１０５ａ上で一のスワイプ操作を行うだけで、表示されている動画像の時間的な位置である第１〜第３の位置を指定して取得することができるとともに、第１〜第３の位置に関連する第１〜第３位置関連情報の出力先を指定して当該出力先に対して第１〜第３位置関連情報を出力することができる。
【００９９】
なお、本発明は、上記実施形態１、２に限定されることなく、本発明の趣旨を逸脱しない範囲において、種々の改良並びに設計の変更を行っても良い。
例えば、コンテンツ共有システム１００、表示装置１、２０１の構成は、上記実施形態１、２に例示したものは一例であり、これに限られるものではない。
【０１００】
また、上記実施形態１、２の表示装置１、２０１にあっては、少なくとも、表示されているアイコンＩｏに対応するタッチパネル１０５ａ上の位置を通って行われるユーザによるスワイプ操作に応じて、表示されるコンテンツの時間的な位置又は空間的な位置を変位させ、スワイプ操作の終了時に表示されているコンテンツの時間的な位置又は空間的な位置を第１の位置として取得し、取得された第１の位置に関連する第１位置関連情報をアイコンＩｏと対応付けられている出力先に対して出力する構成であれば良い。
すなわち、実施形態１の表示装置１にあっては、必ずしも第１測定部１０７ａ、位置入力部１０７ｅ、第１位置表示制御部１０７ｆを具備する必要ない。同様に、実施形態２の表示装置２０１にあっては、第２測定部２０７ａ、位置入力部１０７ｅ、第２位置表示制御部２０７ｆを具備する必要はない。
【０１０１】
また、第１測定部１０７ａが、ユーザによるタッチパネル１０５ａのスワイプ操作の操作速度を測定し、第２測定部２０７ａが、ユーザによるスワイプ操作の操作量を測定するようにしたが、一例であってこれに限られるものではない。例えば、第１測定部１０７ａが、ユーザによるスワイプ操作の操作量を測定し、第２測定部２０７ａが、ユーザによるスワイプ操作の操作速度を測定するようにしても良いし、一の測定部（図示略）がユーザによるスワイプ操作の操作速度及び操作量の両方を測定するようにしても良い。
同様に、第１変位表示制御部１０７ｂが、第１測定部１０７ａにより測定されるユーザによるスワイプ操作の操作速度に応じて、コンテンツの時間的な位置を変位させる制御を行い、第２変位表示制御部２０７ｂが、第２測定部２０７ａにより測定されるユーザによるスワイプ操作の操作量に応じて、コンテンツの空間的な位置を変位させる制御を行うようにしたが、一例であってこれに限られるものではない。例えば、第１変位表示制御部１０７ｂが、第１測定部１０７ａにより測定されるユーザによるスワイプ操作の操作量に応じて、コンテンツの時間的な位置を変位させる制御を行い、第２変位表示制御部２０７ｂが、第２測定部２０７ａにより測定されるユーザによるスワイプ操作の操作速度に応じて、コンテンツの空間的な位置を変位させる制御を行うようにしても良いし、一の変位表示制御部（図示略）が、上記した一の測定部（図示略）により測定されるユーザによるスワイプ操作の操作速度及び操作量に応じて、コンテンツの時間的な位置や空間的な位置を変位させる制御を行うようにしても良い。
【０１０２】
加えて、上記実施形態１、２にあっては、変位制御手段、位置取得手段、位置出力手段としての機能を、中央制御部１０１の制御下にて、第１変位表示制御部１０７ｂ（第２変位表示制御部２０７ｂ）、第１位置取得部１０７ｃ（第２位置取得部２０７ｃ）、第１位置出力部１０７ｄ（第２位置出力部２０７ｄ）が駆動することにより実現される構成としたが、これに限られるものではなく、中央制御部１０１のＣＰＵによって所定のプログラム等が実行されることにより実現される構成としても良い。
すなわち、プログラムメモリ（図示略）に、変位制御処理ルーチン、位置取得処理ルーチン、位置出力処理ルーチンを含むプログラムを記録しておく。そして、変位制御処理ルーチンにより中央制御部１０１のＣＰＵに、表示部１０４に表示されているアイコン（所定の指標）Ｉｏに対応するタッチパネル１０５ａ上の位置を通って行われ、ユーザによりタッチパネル１０５ａ上の異なる位置が連続して接触操作されるスワイプ操作（一連の接触操作）に応じて、表示部１０４に表示されているコンテンツの時間的な位置又は空間的な位置を変位させる制御を行う機能を実現させるようにしても良い。また、位置取得処理ルーチンにより中央制御部１０１のＣＰＵに、スワイプ操作の終了時に表示部１０４に表示されているコンテンツの時間的な位置又は空間的な位置を第１の位置として取得する機能を実現させるようにしても良い。また、位置出力処理ルーチンにより中央制御部１０１のＣＰＵに、取得された第１の位置に関連する第１位置関連情報を、アイコンＩｏと対応付けられている出力先に対して出力する機能を実現させるようにしても良い。
【０１０３】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【０１０４】
また、上記実施形態１、２の表示装置１、２０１は、表示部１０４に表示されているアイコン（所定の指標）Ｉｏに対応するタッチパネル１０５ａ上の位置への接触操作に応じて、当該アイコンＩｏと対応付けられている出力先を取得し、表示部１０４に表示されているアイコンＩｏ以外に対応するタッチパネル１０５ａ上の位置への接触操作に応じて、表示部１０４に表示されているコンテンツの時間的な位置又は空間的な位置を第１の位置として取得し、取得された第１の位置に関連する第１位置関連情報を、取得されたアイコンＩｏと対応付けられている出力先に対して出力する構成であっても良い。
ここで、出力先取得手段、位置取得手段、位置出力手段としての機能が、例えば、中央制御部１０１のＣＰＵにより所定のプログラム等が実行されることにより実現されるようにしても良いし、所定のロジック回路により実現されても良い。
【０１０５】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
タッチパネルと対応付けられている表示手段を備える出力装置であって、
前記表示手段に表示されている所定の指標に対応する前記タッチパネル上の位置を通って行われ、ユーザにより前記タッチパネル上の異なる位置が連続して接触操作される一連の接触操作に応じて、当該表示手段に表示されているコンテンツの時間的な位置又は空間的な位置を変位させる制御を行う変位制御手段と、
前記一連の接触操作の終了時に前記表示手段に表示されているコンテンツの時間的な位置又は空間的な位置を第１の位置として取得する位置取得手段と、
前記位置取得手段により取得された前記第１の位置に関連する第１位置関連情報を、前記所定の指標と対応付けられている出力先に対して出力する位置出力手段と、
を備えることを特徴とする出力装置。
＜請求項２＞
前記第１の位置は、前記コンテンツの注目位置、出力開始位置及び出力終了位置のうちの何れかを示す位置であることを特徴とする請求項１に記載の出力装置。
＜請求項３＞
前記位置取得手段は、前記一連の接触操作における前記タッチパネル上のユーザの接触位置の座標が前記所定の指標と重なった時に前記表示手段に表示されているコンテンツの時間的な位置又は空間的な位置を第２の位置として更に取得し、
前記位置出力手段は、前記位置取得手段により取得された前記第２の位置に関連する第２位置関連情報を、前記出力先に対して更に出力することを特徴とする請求項１又は２に記載の出力装置。
＜請求項４＞
前記第２の位置は、前記コンテンツの注目位置、出力開始位置及び出力終了位置のうち、前記第１の位置とは異なる何れかを示す位置であることを特徴とする請求項３に記載の出力装置。
＜請求項５＞
前記位置取得手段は、前記一連の接触操作の開始時に前記表示手段に表示されているコンテンツの時間的な位置又は空間的な位置を第３の位置として更に取得し、
前記位置出力手段は、前記位置取得手段により取得された前記第３の位置に関連する第３位置関連情報を、前記出力先に対して更に出力することを特徴とする請求項３又は４に記載の出力装置。
＜請求項６＞
前記第３の位置は、前記コンテンツの注目位置、出力開始位置及び出力終了位置のうち、前記第１及び第２の位置とは異なる何れかを示す位置であることを特徴とする請求項５に記載の出力装置。
＜請求項７＞
前記位置出力手段は、更に、前記コンテンツを特定するための情報を前記出力先に出力することを特徴とする請求項１〜６の何れか一項に記載の出力装置。
＜請求項８＞
前記所定の指標に対応する前記タッチパネル上の位置を通った後の前記一連の接触操作の操作速度及び操作量のうちの少なくとも一方を測定する測定手段を更に備え、
前記変位制御手段は、前記測定手段により測定される前記一連の接触操作の操作速度及び操作量のうちの少なくとも一方に応じて、前記表示手段に表示されているコンテンツの時間的な位置又は空間的な位置を変位させる制御を行うことを特徴とする請求項１〜７の何れか一項に記載の出力装置。
＜請求項９＞
前記一連の接触操作は、円弧状の接触操作であり、
前記変位制御手段は、前記円弧状の接触操作の操作方向と対応付けられている時間方向に、出力される前記コンテンツの時間的な位置を変位させる制御を行うことを特徴とする請求項１〜７の何れか一項に記載の出力装置。
＜請求項１０＞
前記出力先は、所定の通信回線を介して通信可能な外部装置及び記憶手段のうち、少なくとも一方を含むことを特徴とする請求項１〜９の何れか一項に記載の出力装置。
＜請求項１１＞
タッチパネルと対応付けられている表示手段を備える出力装置を用いた出力方法であって、
前記表示手段に表示されている所定の指標に対応する前記タッチパネル上の位置を通って行われ、ユーザにより前記タッチパネル上の異なる位置が連続して接触操作される一連の接触操作に応じて、当該表示手段に表示されているコンテンツの時間的な位置又は空間的な位置を変位させる制御を行う処理と、
前記一連の接触操作の終了時に前記表示手段に表示されているコンテンツの時間的な位置又は空間的な位置を第１の位置として取得する処理と、
取得された前記第１の位置に関連する第１位置関連情報を、前記所定の指標と対応付けられている出力先に対して出力する処理と、
を含むことを特徴とする出力方法。
＜請求項１２＞
タッチパネルと対応付けられている表示手段を備える出力装置のコンピュータに、
前記表示手段に表示されている所定の指標に対応する前記タッチパネル上の位置を通って行われ、ユーザにより前記タッチパネル上の異なる位置が連続して接触操作される一連の接触操作に応じて、当該表示手段に表示されているコンテンツの時間的な位置又は空間的な位置を変位させる制御を行う機能、
前記一連の接触操作の終了時に前記表示手段に表示されているコンテンツの時間的な位置又は空間的な位置を第１の位置として取得する機能、
取得された前記第１の位置に関連する第１位置関連情報を、前記所定の指標と対応付けられている出力先に対して出力する機能、
を実現させることを特徴とするプログラム。
＜請求項１３＞
タッチパネルと対応付けられている表示手段を備える出力装置であって、
前記表示手段に表示されている所定の指標に対応する前記タッチパネル上の位置への接触操作に応じて、当該所定の指標と対応付けられている出力先を取得する出力先取得手段と、
前記表示手段に表示されている前記所定の指標以外に対応する前記タッチパネル上の位置への接触操作に応じて、前記表示手段に表示されているコンテンツの時間的な位置又は空間的な位置を第１の位置として取得する位置取得手段と、
前記位置取得手段により取得された前記第１の位置に関連する第１位置関連情報を、前記出力先取得手段により取得された前記所定の指標と対応付けられている出力先に対して出力する位置出力手段と、
を備えることを特徴とする出力装置。
＜請求項１４＞
前記位置取得手段は、前記表示手段に表示されている所定の指標に対応する前記タッチパネル上の位置への接触操作が行われた時に、前記表示手段に表示されているコンテンツの時間的な位置又は空間的な位置を第２の位置として取得し、
前記位置出力手段は、前記第１位置関連情報と、前記位置取得手段より取得された第２の位置に関連する第２位置関連情報とを、前記出力先に対して出力することを特徴とする請求項１３に記載の出力装置。
＜請求項１５＞
タッチパネルと対応付けられている表示手段を備える出力装置を用いた出力方法であって、
前記表示手段に表示されている所定の指標に対応する前記タッチパネル上の位置への接触操作に応じて、当該所定の指標と対応付けられている出力先を取得する処理と、
前記表示手段に表示されている前記所定の指標以外に対応する前記タッチパネル上の位置への接触操作に応じて、前記表示手段に表示されているコンテンツの時間的な位置又は空間的な位置を第１の位置として取得する処理と、
取得された前記第１の位置に関連する第１位置関連情報を、取得された前記所定の指標と対応付けられている出力先に対して出力する処理と、
を含むことを特徴とする出力方法。
＜請求項１６＞
タッチパネルと対応付けられている表示手段を備える出力装置のコンピュータに、
前記表示手段に表示されている所定の指標に対応する前記タッチパネル上の位置への接触操作に応じて、当該所定の指標と対応付けられている出力先を取得する機能、
前記表示手段に表示されている前記所定の指標以外に対応する前記タッチパネル上の位置への接触操作に応じて、前記表示手段に表示されているコンテンツの時間的な位置又は空間的な位置を第１の位置として取得する機能、
取得された前記第１の位置に関連する第１位置関連情報を、取得された前記所定の指標と対応付けられている出力先に対して出力する機能、
を実現させることを特徴とするプログラム。
【符号の説明】
【０１０６】
１００    コンテンツ共有システム
１、２０１  表示装置
１０１    中央制御部
１０４    表示部
１０４ａ  表示パネル
１０５    操作入力部
１０５ａ  タッチパネル
１０６    通信制御部
１０７    第１動作処理部
１０７ａ  第１測定部、１０７ｂ  第１変位表示制御部、１０７ｃ  第１位置取得部、１０７ｄ  第１位置出力部、１０７ｅ  位置入力部、１０７ｆ  第１位置表示制御部
２０７    第２動作処理部
２０７ａ  第２測定部、２０７ｂ  第２変位表示制御部、２０７ｃ  第２位置取得部、２０７ｄ  第２位置出力部、２０７ｆ  第２位置表示制御部
Ｎ        通信ネットワーク
【図１】
2017156797.tif 000003
【図２】
2017156797.tif 000004
【図３】
2017156797.tif 000005
【図４】
2017156797.tif 000006
【図５】
2017156797.tif 000007
【図６】
2017156797.tif 000008
【図７】
2017156797.tif 000009
【図８】
2017156797.tif 000010
【図９】
2017156797.tif 000011
【図１０】
2017156797.tif 000012
【図１１】
2017156797.tif 000013
【図１２】
2017156797.tif 000014
【図１３】
2017156797.tif 000015
【図１４】
2017156797.tif 000016